(57)【要約】【課題】  従来から装置全体の設定としてや、装置を使用するユーザ単位や部門単位などで、発信人名称を付加する、付加しないの登録が可能で、また、ワンタッチ／短縮ダイヤルといったプリセットの送信宛先に対しても発信人名称を付加する、付加しないなどの選択ができるようになっており、相手先ごとに発信人名称を付加して送信することができたが、そのように事前に登録された“付加する”、“付加しない”の設定を無視して、任意の送信予約を行うことは出来ず、送信操作の前に登録した発信人名称を“付加する”、“付加しない”という設定を変更する必要があった。【解決手段】  送信操作中に発信人名称を付加する／付加しないをユーザが選択できるようにし、発信人名称を付加しない設定をユーザが選択した場合は、事前のユーザ登録において発信人名称が付加する設定がなされていても使用せずに、発信人名称なしで送信を行う。【選択図】        図１
2006295368.tif 000002
【特許請求の範囲】
【請求項１】
ファクシミリ手順によりデータの送受信する通信機能とユーザの入力によって指定された発信人名称を記憶する発信人名称登録手段と記憶された発信人名称を前記データに付加する発信人名称通知機能と予め発信人名称を通知するしないのどちらかをユーザの指示により記憶する発信人名称通知登録手段と、ユーザの指示により送信宛先を決定する宛先指定手段と、ファクシミリ送信予約時に、発信人名称を通知するしないを指定することが出来る発信人名称切り替え手段を有し、この発信人名称切り替え手段によって指定があり、通知するが指定されればファクシミリ送信時に前記発信人名称通知機能によって発信人名称を通知し、通知しないであれば発信人名称の通知は行わず、また前記発信人名称の切り替え手段による指定がなく前記発信人名称登録手段において記憶された情報が通知するであればファクシミリ送信時に前記発信人名称通知機能によって発信人名称を通知し、通知しないであれば発信人名称の通知は行わないことを特徴とする通信端末装置。
【請求項２】
前記発信人名称通知登録手段によって通知するしないの情報を、使用するユーザ毎に登録できることを特徴とする請求項１に記載の通信端末装置。
【請求項３】
前記発信人名称通知登録手段によって通知するしないの情報を、送信宛先毎に登録できることを特徴とする請求項１に記載の通信端末装置。
【発明の詳細な説明】
【技術分野】
【０００１】
本発明はファクシミリ送信における発信人名称通知機能に係る通信端末装置に関するものである。
【背景技術】
【０００２】
従来、ファクシミリ送信において画像情報として送信画像のヘッダや文字ベースの情報として送信相手先に発信人名称を通知する機能がある。この機能においてユーザの利便性を向上させるために発信人名称を通知する、しないの切り替える手段が以前よりあるが、ユーザの使用方法にあわせて事前に装置に登録することが主であった（例えば、特許文献１等参照）。
【特許文献１】特開２００３−１４３３３５号公報
【発明の開示】
【発明が解決しようとする課題】
【０００３】
ところがユーザによっては送信毎に発信人名称の通知を行いたかったり、行いたくなかったりする。その場合装置全体や使用者としての設定を変更する必要があり、任意の送信に対してのみ発信人名称の通知を行ったり行わなかったりすることが困難であった。
【０００４】
本発明は、以上の点に着目して成されたもので、発信人名称機能の有効無効の切り替え操作について操作性を高めることができる通信端末装置を提供することを目的とする。
【課題を解決するための手段】
【０００５】
予め発信名称通知をする、しないを設定できる請求項１での発信人名称通知登録手段と、任意のＦＡＸ送信に対して発信人名称を通知する、しないの選択できる請求項１の発信人名称切り替え手段手段。
【０００６】
すなわち、本発明の技術内容は以下の構成を備えることにより前記課題を解決できた。
【０００７】
（１）ファクシミリ手順によりデータの送受信する通信機能とユーザの入力によって指定された発信人名称を記憶する発信人名称登録手段と記憶された発信人名称を前記データに付加する発信人名称通知機能と予め発信人名称を通知するしないのどちらかをユーザの指示により記憶する発信人名称通知登録手段と、ユーザの指示により送信宛先を決定する宛先指定手段と、ファクシミリ送信予約時に、発信人名称を通知するしないを指定することが出来る発信人名称切り替え手段を有し、この発信人名称切り替え手段によって指定があり、通知するが指定されればファクシミリ送信時に前記発信人名称通知機能によって発信人名称を通知し、通知しないであれば発信人名称の通知は行わず、また前記発信人名称の切り替え手段による指定がなく前記発信人名称登録手段において記憶された情報が通知するであればファクシミリ送信時に前記発信人名称通知機能によって発信人名称を通知し、通知しないであれば発信人名称の通知は行わないことを特徴とする通信端末装置。
【発明の効果】
【０００８】
本発明により、発信人名称機能の有効無効の切り替え操作について操作性を高めることが出来るようになる。
【発明を実施するための最良の形態】
【０００９】
以下本発明を実施するための最良の形態を、実施例により詳しく説明する。
【実施例】
【００１０】
以下、図面を参照して、本発明における実施の形態の１つを説明する。
【００１１】
図１は本発明の実施例に係るファクシミリ装置の構成を示すブロック図である。
【００１２】
同図において、ＣＰＵ１０１は、システム制御部であり、装置全体を制御する。ＲＯＭ１０２は、ＣＰＵの制御プログラムを格納するものである。ＲＡＭ１０３は、ＳＲＡＭ等で構成され、プログラム制御変数等や各種設定値、装置の管理データ類、各種ワーク用バッファもＲＡＭ１０３に格納されるものである。蓄積メモリ１０４は、ＤＲＡＭ等で構成され、画像データを蓄積するものである。外部表示部１０５は、ＬＣＤ、ＬＥＤ等でユーザに表示通知するためのものである。スピーカ１０６は、音声によってユーザに通知、警告をしたり、ＰＳＴＮ回線１０９またはＩＳＤＮ回線１１１を通して送受している信号音をモニターしたりするものである。
【００１３】
ＭＯＤＥＭ１０７は、ファクシミリの送受信信号の変復調を行うものであり、ＮＣＵ１０８は、選択信号（ダイヤルパルスまたはトーンダイヤラ）をＰＳＴＮ回線（アナログ公衆回線網）１０９に送出する機能を有し、呼び出し信号の検出による自動着信動作も行う。ＮＩＣ１１０はＬＡＮ（ｌｏｃａｌ  ａｒｅａ  ｎｅｔｗｏｒｋ）１１１と接続するための制御を行う。画像処理部１１２は、読み取られた画像データに補正処理を施して高精細な画像データを出力するものである。スキャナ１１３は、ＣＳイメージセンサ、原稿搬送機構などで構成され、原稿を光学的に読み取って電気的な画像データに変換するものである。
【００１４】
操作部１１４は、キーボード、タッチパネル等で構成され、オペレータが各種入力操作を行うためのものであり、ユーザの操作に必要なキーを備える。ユーザは発信人名称の入力を操作部１１４の操作により行うことができ、入力された情報はＲＡＭ１０３に格納される。また発信人名称通知機能を有効にするかどうかの選択もでき、入力された情報は同様にＲＡＭ１０３に格納される。
【００１５】
プリンタフォーマッタ１１５は、ワークステーションなど外部機器からのファイルデータのプリントを行う際に、プリンタ記述言語を解析し、画像データに変換するものである。プリンタ１１６は、受信画像やファイルデータを記録紙に記録する装置である。
【００１６】
図２は、ＦＡＸ送信予約時の発信人名称機能の選択フローである。
【００１７】
送信する宛先などの指定（２０２）のあとに操作部１１４の発信人名称キーが押下された場合（２０３）、発信人名称機能の選択が出来る（２０４）。このフローの例では２０２の後に２０３となっているが特に前後しても差し支えないものである。２０４においては、図３の画面が表示される。操作部１１４での操作によって、つける、つけないを選択できるようになっている。またフロー２０４におけるつける、つけないの初期状態は、ＲＡＭ１０３に格納された発信人名称機能が有効かの情報によって変えるようにする。有効であれば最初の図３での表示はつけるが反転表示され、無効であればつけないが反転表示される。そこで操作部１１４からセットキーが押された場合、反転表示されている情報を保持する。
【００１８】
２０５では、２０４において発信人名称機能の選択が行われたかを判断する。ここでは２０４にてセットキーが押されたことで選択が行われたと判断する。２０５において発信人名称機能の選択が行われたと判断された場合、２０６において、２０４において保持している、つける、つけないの情報から、つけるであれば２０７の処理において発信人名称を通知するＦＡＸ送信を行う。
【００１９】
２０７では、ＲＡＭ１０３に格納されているキャラクタデータである発信人名称をファクシミリ手順の中で相手機に送出し、また一方で発信人名称を画像展開し、送信ヘッダとして付加した、画像のＦＡＸ送信を行う。反対に２０６において“つけない”が選択されたと判断されれば、２０９において相手機に発信人名称の送出を行わなければ、送信画像ヘッダに発信人名称を付加しないＦＡＸ送信を行う。また２０５において発信人名称機能の選択がなされなかったと判断された場合は、２０８において、ＲＡＭ１０３に格納された発信人名称機能が有効かの情報に基づいて発信人名称をつけるかつけないかの判断を行う。有効であれば２０７の処理を行い、無効であれば２０９の処理を行う。
【００２０】
またここではＲＡＭ１０３に格納される発信人名称機能の有効無効の情報は、装置の対し一つとは限らず、例えば装置を使用するユーザ毎や、２０２で決定されるワンタッチダイヤルや短縮ダイヤルといった宛先毎に複数の情報を格納していても構わないものである。
【図面の簡単な説明】
【００２１】
【図１】本発明の一実施例によるファクシミリ装置の構成を示すブロック図である。
【図２】送信予約時における発信人名称機能の選択フローチャートである。
【図３】図２の２０４での発信人名称機能選択の表示部での表示例を示す図である。
【符号の説明】
【００２２】
１０１  ＣＰＵ
１０２  ＲＯＭ
１０３  ＲＡＭ
１０４  蓄積メモリ
１０５  外部表示部
１０６  スピーカ
１０７  ＭＯＤＥＭ
１０８  ＮＣＵ
１０９  ＰＳＴＮ回線
１１０  ＮＩＣ
１１１  ＬＡＮ
１１２  画像処理部
１１３  スキャナ
１１４  操作部
１１５  プリンタフォーマッタ
１１６  プリンタ
【図１】
2006295368.tif 000003
【図２】
2006295368.tif 000004
【図３】
2006295368.tif 000005